(57)【要約】【課題】導光部材の端縁側から光を入射させて液晶表示パネルを透過照明する表示装置に於いて、液晶表示パネルの前面側に配置したパネルの開口穴または透視部の形状の如何に関わらず、液晶表示パネルに輝度ムラが発生しにくい表示装置を提供する。【解決手段】透過型の液晶表示パネル１と、この液晶表示パネル１の背後に配置され端縁側に複数の受光部３を有する導光部材４と、液晶表示パネル１の前面側に配置され可視領域となる開口穴９を有するパネル２とを備え、受光部３は受光部３に対応した側の開口穴９の縁Ｅ２，Ｅ３に沿うように設けられている。【選択図】図１
2009109567.tif 000002
【特許請求の範囲】
【請求項１】
透過型の液晶表示パネルと、この液晶表示パネルの背後に配置され端縁側に複数の受光部を有する導光部材と、前記液晶表示パネルの前面側に配置され可視領域となる開口穴または透視部を有するパネルとを備え、前記受光部は前記受光部に対応した側の前記開口穴または前記透視部の縁に沿うように設けられていることを特徴とする表示装置。
【請求項２】
前記受光部は、前記導光部材の対向する両端縁側に設けられていることを特徴とする請求項１に記載の表示装置。
【請求項３】
前記開口穴または前記透視部が弓形からなることを特徴とする請求項１または請求項２に記載の表示装置。
【請求項４】
前記導光部材の表面に拡散処理を施したことを特徴とする請求項１から請求項３の何れかに記載の表示装置。
【発明の詳細な説明】
【技術分野】
【０００１】
本発明は、例えば車両用の表示装置に関し、特に液晶表示パネルの背後に受光部を有する導光部材を配置し、この受光部に入射した光によって液晶表示パネルを透過照明するようにした表示装置に関するものである。
【背景技術】
【０００２】
液晶表示パネルを用いた表示装置として、例えば下記特許文献１がある。この特許文献１に記載の表示装置は、透過型の液晶表示素子２（液晶表示パネル）の背後に配置した透光部材５２（導光部材）に光源４からの光を両端縁側から入射させ、液晶表示素子２を背後から透過照明するものである。それによって、液晶表示素子２の前面側に配置したパネルの開口穴から表示情報２３が視認されるようになっている。
【特許文献１】特開２００６−２７６５４０号公報
【発明の開示】
【発明が解決しようとする課題】
【０００３】
しかしながら、上記特許文献１の表示装置に於いて、例えばパネルの開口穴の形状が逆台形の場合、透光部材５２の受光部５４（反射部５５）から液晶表示素子２の可視領域（開口穴の縁）までの距離が図１中、上側と下側では異なってくる。即ち、図１中、液晶表示素子２の上端側では反射部５５から液晶表示素子２の可視領域までの距離が短く、下端側ほど距離が長くなる。すると、光源４が点灯した際、反射部５５からの距離が長くなる程光が減衰されてしまうため、特に液晶表示素子２の上側の開口穴縁際の背景が明るく透過照明され、下側の開口穴縁際の背景は上側に比べて暗く透過照明されてしまう。この様に、受光部５４から液晶表示素子２の可視領域までの距離の違いによって液晶表示素子２に輝度ムラが生じる虞がある。
【０００４】
本発明はこの様な点に鑑みなされたもので、導光部材の端縁側から光を入射させて液晶表示パネルを透過照明する表示装置に於いて、液晶表示パネルの前面側に配置したパネルの開口穴または透視部の形状の如何に関わらず、液晶表示パネルに輝度ムラが発生しにくい表示装置を提供することを目的とする。
【課題を解決するための手段】
【０００５】
本発明は前記目的を達成するため、透過型の液晶表示パネルと、この液晶表示パネルの背後に配置され端縁側に複数の受光部を有する導光部材と、前記液晶表示パネルの前面側に配置され可視領域となる開口穴または透視部を有するパネルとを備え、前記受光部は前記受光部に対応した側の前記開口穴または前記透視部の縁に沿うように設けられているものである。
【０００６】
また、前記受光部は、前記導光部材の対向する両端縁側に設けられているものである。
【０００７】
また、前記開口穴または前記透視部が弓形からなるものである。
【０００８】
また、前記導光部材の表面に拡散処理を施したものである。
【発明の効果】
【０００９】
導光部材の端縁側から光を入射させて液晶表示パネルを透過照明する表示装置に於いて、液晶表示パネルの前面側に配置したパネルの開口穴または透視部の形状の如何に関わらず、液晶表示パネルに輝度ムラが発生しにくい表示装置を得ることができる。
【発明を実施するための最良の形態】
【００１０】
図１は、本発明の第1実施形態を示す表示装置の部分正面図であり、図２は、同表示装置の部分断面図（図１に於けるＡ−Ａ断面）である。
【００１１】
表示装置は、矩形で透過型の液晶表示パネル１と、この液晶表示パネル１の前面側に配置されたパネル２と、液晶表示パネル１の背後に配置され受光部３を有すると共に液晶表示パネル１が保持される導光部材４と、この導光部材４の背後に配置され電源回路や液晶を駆動させる駆動回路（図示せず）などが設けられた硬質の回路基板５と、導光部材４の受光部３に対向した回路基板５上に配置された光源としての発光ダイオード６と、導光部材４の裏面側に配置された白色の合成樹脂からなる反射板７などを備えている。
【００１２】
液晶表示パネル１は、図示しないが周知の如く、二枚のガラス基板の間に液晶分子を封入し、各々のガラス基板に例えばスモーク調の偏光膜を貼ったものである。そして、ガラス基板に設けた図示しない電極部に外部測定量に応じた信号（電圧）が印加されると、例えば車両の走行距離や燃料残量などが表示される液晶表示部８が黒色で現れるようになっている。液晶表示部８以外は、回路基板５に実装してある発光ダイオード６の点灯によって透過照明されるようになっている。
【００１３】
パネル２は合成樹脂からなり、表面側には例えば黒色の印刷が施してある。このパネル２には開口穴９が設けられており、開口穴９によって液晶表示パネル１の可視領域が定められている。本実施形態に於ける開口穴９は弓形となっており、図１中、パネル２上側の開口穴９の縁Ｅ１（開口穴９との境）は液晶表示パネル１の上端縁に沿っており、パネル右下側の開口穴９の縁Ｅ２および左下側の開口穴９の縁Ｅ３は円弧状となっている。従って、液晶表示パネル１の下側の両隅はパネル２で覆われるか、或いは図１に示す様に液晶表示パネル１面が露出していてもパネル２以外の部材（図示せず）で露出面が覆われる構造となっている。なお、例えばアナログ式の速度計が備えられている表示装置であったなら、パネル２は速度計用の表示板と一体となっていても良い。
【００１４】
導光部材４は無色透明な合成樹脂からなり、液晶表示パネル１とほぼ同形状の平面部１０と、この平面部１０の対向する両端縁側に設けられた４個の受光部３と、この受光部３に入射した発光ダイオード６からの光を平面部１０側に反射させる反射面１１とを有している。また、平面部１０の表面（液晶表示パネル１側）には拡散処理としての微細なシボ１２が施してある。
【００１５】
また、受光部３は、受光部３に対応した側の開口穴９の縁Ｅ２，Ｅ３に沿うように設けてある。即ち、平面部１０の右端縁側に設けられた２個の受光部３（図１に於いて、斜線を施した箇所）は、縁Ｅ２と、２個の受光部３の中心（発光ダイオード６の中心でもある）を結ぶ線Ｌ１とがほぼ並行となるような位置に設けられている。同様に、左端縁側に設けられた２個の受光部３も、縁Ｅ３と、２個の受光部３の中心を結ぶ線Ｌ２とがほぼ並行となるような位置に設けられている。
【００１６】
この様に構成された表示装置において、例えば赤色で発光する発光ダイオード６が点灯すると、発光ダイオード６からの光は平面部１０の両端縁側に設けられた４個の受光部３に入射し、各反射面１１で反射して平面部１０側に導かれる。そして、平面部１０から液晶表示パネル１側に出射した光を背後から受けて液晶表示部８以外の背景が若干薄暗い赤色で透過照明される。この際、平面部１０の表面に設けられたシボ１２によって拡散された光が液晶表示パネル１の裏面を照射するようになる。
【００１７】
この様に、透過型の液晶表示パネル１と、この液晶表示パネル１の背後に配置され端縁側に複数の受光部３を有する導光部材４と、液晶表示パネル１の前面側に配置され可視領域となる開口穴９を有するパネル２とを備え、受光部３を、受光部３に対応した側の開口穴９の縁Ｅ２，Ｅ３に沿うように設けたことにより、各受光部３から開口穴９の縁Ｅ２，Ｅ３までの距離がほぼ等しくなるため、液晶表示パネル１が透過照明される際、特に開口穴９の縁Ｅ２，Ｅ３際の背景に照明（輝度）ムラが発生し難くなる。
【００１８】
また、受光部３を平面部１０の両端縁側に設けたことにより、両側から導光部材４内に光を入射させることで、液晶表示パネル１の透過輝度を高めることができる。また、開口穴９の形状が弓形であっても受光部３を開口穴９の縁Ｅ２，Ｅ３に沿うように設けることで、弓形というデザインを守りながら、輝度ムラを抑えて均一な透過照明を得ることができる。
【００１９】
また、導光部材４の平面部１０表面に微細なシボ１２を施したことにより、発光ダイオード６から導光部材４内に入射した光を拡散させながら液晶表示パネル１の裏面側に導くことができ、より均一な透過照明が得られる。
【００２０】
なお、本実施形態に於いては、受光部３を導光部材４の平面部１０の両端縁側に設けたが、片方の端縁側に２個以上（複数）の受光部３を設けたものであっても良い。また、パネル２の開口部１０の形状を弓形としたが、弓形に限定するものではなく、例えば台形であっても同様な効果が得られる。
【００２１】
また、パネル２に開口穴９を設けて液晶表示パネル１の可視領域としたが、パネル２を無色透明な部材とし、開口穴９に相当する箇所を非印刷領域とした透視部とすることによって液晶表示パネル１の可視領域としても良く、この場合であっても、開口穴９とした際と同様な効果を得ることができる。
【図面の簡単な説明】
【００２２】
【図１】本発明の第1実施形態を示す表示装置の部分正面図。
【図２】同表示装置の部分断面図（図１に於けるＡ−Ａ断面）。
【符号の説明】
【００２３】
１  液晶表示パネル
２  パネル
３  受光部
４  導光部材
６  発光ダイオード
９  開口穴
Ｅ１，Ｅ２，Ｅ３  縁
１２  シボ（拡散処理）
【図１】
2009109567.tif 000003
【図２】
2009109567.tif 000004